(57)【要約】【課題】  それを利用することにより、ＬＥＤ，ＳＷ等がユーザにとって好ましい位置に配置されている操作パネルを備えた２仕様の複合機（或る仕様の複合機とそれよりも低機能の複合機）を、安価に製造することが可能となる操作パネル用配線板を提供する。【解決手段】  操作パネル用配線板１０を、幾つかの零抵抗素子を取り付けることにより、コントローラ基板からの操作パネル接続ケーブルが接続される操作パネル接続ケーブル用コネクタの各端子と、ＳＷｂ，ＳＷｃ，ＬＥＤｂ，ＬＥＤｃとの間の接続関係が異なる２種の操作パネル基板１５Ａ，１５Ｂを製造できるものとしておく。【選択図】  図４
2006080728.tif 000002
【特許請求の範囲】
【請求項１】
複数のユーザ・インタフェース用素子を備えた，複合機用の操作パネルを製造するために用いられる操作パネル用配線板であって、
第１用途のユーザ・インタフェース用素子を利用するためにコントローラ基板によって使用される第１端子と、
第２用途のユーザ・インタフェース用素子を利用するために前記コントローラ基板によって使用される第２端子と、
ユーザ・インタフェース用素子を取り付け可能な第１取付部と、
ユーザ・インタフェース用素子を取り付け可能な第２取付部と、
前記第１端子と前記第１取付部に取り付けられたユーザ・インタフェース素子とを電気的に接続する状態であると共に，前記第２端子と前記第２取付部に取り付けられたユーザ・インタフェース素子とを電気的に接続する状態である第１状態と、前記第１端子と前記第２取付部に取り付けられたユーザ・インタフェース素子とを電気的に接続する状態である第２状態とを取り得る接続関係調整部と
を備えることを特徴とする操作パネル用配線板。
【請求項２】
前記接続関係調整部が、複数個の零抵抗素子を取り付け可能な回路であって、取り付ける零抵抗素子の数及び位置を選択することにより、前記第１状態及び前記第２状態のいずれの状態も取らせることが可能な回路である
ことを特徴とする請求項１記載の操作パネル用配線板。
【発明の詳細な説明】
【技術分野】
【０００１】
本発明は、複合機の操作パネルを製造するために使用される操作パネル用配線板に、関する。
【背景技術】
【０００２】
周知のように、一般的な複合機の操作パネルは、操作パネル基板が用いられたもの（化粧板／ケース下に操作パネル基板が取り付けられたもの）となっている。なお、操作パネル基板とは、操作パネル用のプリント配線板である操作パネル用配線板上にＬＥＤ、ＳＷ（押しボタンスイッチ）等を実装したプリント基板（回路基板）のことである。
【０００３】
そして、各複合機メーカーは、製造する複合機の機種毎に、その機種の複合機が有する各機能を利用するために必要・十分な数のＬＥＤ，ＳＷ等を，その機種の複合機に適したレイアウトで実装可能な操作パネル用配線板を用意（設計・製造）している。このため、操作パネル用配線板の用意に必要とされるコスト分、各複合機の価格が上昇してしまっているのが、現状である。
【発明の開示】
【発明が解決しようとする課題】
【０００４】
そこで、本発明の課題は、それを利用することにより、ユーザ・インタフェース素子（ＬＥＤ，ＳＷ等）がユーザにとって好ましい位置に配置されている操作パネルを備えた２仕様の複合機を安価に製造することが可能となる操作パネル用配線板を、提供することにある。
【課題を解決するための手段】
【０００５】
上記課題を解決するために、本発明では、複数のユーザ・インタフェース用素子を備えた，複合機用の操作パネルを製造するために用いられる操作パネル用配線板を、第１用途のユーザ・インタフェース用素子を利用するためにコントローラ基板によって使用される第１端子と、第２用途のユーザ・インタフェース用素子を利用するためにコントローラ基板によって使用される第２端子と、ユーザ・インタフェース用素子を取り付け可能な第１取付部と、ユーザ・インタフェース用素子を取り付け可能な第２取付部と、第１端子と第１取付部に取り付けられたユーザ・インタフェース素子とを電気的に接続する状態であると共に，第２端子と第２取付部に取り付けられたユーザ・インタフェース素子とを電気的に接続する状態である第１状態と、第１端子と第２取付部に取り付けられたユーザ・インタフェース素子とを電気的に接続する状態である第２状態とを取り得る接続関係調整部とを備えるものとして構成（製造）しておく。
【０００６】
すなわち、本発明の操作パネル用配線板は、「第１取付部に取り付けられたユーザ・インタフェース素子（ＬＥＤ、ＳＷ等の，ユーザとの間のインタフェースのために操作パネルに設けられる素子）が、第１用途のユーザ・インタフェース用素子として機能し、かつ、第２取付部に取り付けられたユーザ・インタフェース素子が、第２用途のユーザ・インタフェース用素子として機能する操作パネルを備えた第１仕様の複合機」（第１用途のユーザ・インタフェース用素子と第２用途のユーザ・インタフェース用素子とが設けられている操作パネルを備えた第１仕様の複合機）と、「第２取付部に取り付けられたユーザ・インタフェース素子が、第１用途のユーザ・インタフェース用素子として機能する操作パネルを備えた第２仕様の複合機」（第２用途のユーザ・インタフェース用素子が操作パネルに設けられておらず、第１仕様の複合機の操作パネルにて第２用途のユーザ・インタフェース用素子として機能しているユーザ・インタフェース用素子が第１用途のユーザ・インタフェース用素子として機能する操作パネルを備えた第２仕様の複合機）とを、本質的には同一構成のコントローラ基板を用いて製造出来るものとなっている。
【０００７】
そして、第２仕様の複合機の方が、「第２用途のユーザ・インタフェース用素子が操作パネルに設けられておらず、第１仕様の複合機の操作パネルにて第１用途のユーザ・インタフェース用素子として機能しているユーザ・インタフェース用素子が第１用途のユーザ・インタフェース用素子として機能する操作パネルを備えた複合機」よりもユーザにとって操作しやすいもの／デザイン的に優れたものとなることが多いので、本発明の操作パネル用配線板を用いれば、ユーザにとって操作しやすい／デザイン的に優れた２仕様（２機種）の複合機を、操作パネル基板用のプリント配線板を個別に用意しなくても良い分、安価に製造できることになる。また、本発明の操作パネル用配線板を利用して製造される各複合機は、基本的には同一構成のコントローラ基板を用いて製造できるものであるので、その分、安価に製造できる複合機となっていることにもなる。
【０００８】
本発明の操作パネル用配線板を実現するに際しては、各種素子（回路部品）の自動挿入機を利用して操作パネル基板を製造できるようにするために、接続関係調整部を、複数個の零抵抗素子を取り付け可能な回路であって、取り付ける零抵抗素子の数及び位置を選択することにより、第１状態及び第２状態のいずれの状態も取らせることが可能な回路としておくことが望ましい。
【発明を実施するための最良の形態】
【０００９】
以下、本発明を実施するための最良の形態を、図面を参照して詳細に説明する。
【００１０】
まず、図１及び図２を用いて、本発明の一実施形態に係る操作パネル用配線板１０の概要（用途）を、説明する。
【００１１】
本実施形態に係る操作パネル用配線板１０は、コピー機能とＦＡＸ機能及びスキャン機能を有するＡ仕様の複合機と、コピー機能とスキャン機能のみを有する（ＦＡＸ機能を有さない）Ｂ仕様の複合機とを、製造するために用いられるプリント配線板である。より具体的には、操作パネル用配線板１０は、ＬＣＤ，ＬＥＤ，ＳＷ（押しボタンスイッチ）、操作パネル接続ケーブル用コネクタ等を実装することにより、Ａ仕様の複合機が備える操作パネル２０Ａ（図１(Ａ)）用の操作パネル基板１５Ａと、Ｂ仕様の複合機が備える操作パネル２０Ｂ（図１(Ｂ)）用の操作パネル基板１５Ｂとを、製造することが出来るプリント配線板となっている。
【００１２】
また、操作パネル用配線板１０を利用して製造される各仕様の複合機は、図２に模式的に示したように、操作パネル基板１５Ｘ（Ｘ＝Ａ，Ｂ）と、ＣＰＵ等が搭載されたプリント基板であるコントローラ基板３０Ｘとが、操作パネル接続ケーブルによって接続された内部構成を有する装置であると共に、コントローラ基板３０Ａ，３０Ｂとして、本質的には同じもの（ＦＡＸ関連の制御を行うためのプログラムモジュールの有無のみが異なるもの）が用いられた装置となっている。
【００１３】
そして、図１から明らかなように、操作パネル２０Ａ（操作パネル基板１５Ａ）と操作パネル２０Ｂ（操作パネル基板１５Ａ）とは、スキャン機能選択用のＬＥＤ及びＳＷの位置が異なるものとなっている。
【００１４】
すなわち、操作パネル基板１５Ｂは、操作パネル接続ケーブルによってコントローラ基板３０Ｘと接続される操作パネル接続ケーブル用コネクタの各端子の用途が操作パネル基板１５Ａのそれと全く同一のプリント基板であるにも拘わらず、操作パネル１５Ａでは、ＦＡＸ機能選択用のものとして機能しているＬＥＤ及びＳＷが、スキャン機能選択用のものとして機能する必要があるプリント基板となっている。なお、操作パネル２０Ｂを、そのような操作パネル基板１５Ｂを必要とするものとしてあるのは、コピー機能選択用のＬＥＤ及びＳＷとスキャン機能選択用のＬＥＤ及びＳＷとが隣接している操作パネル２０Ｂの方が、コピー機能選択用のＬＥＤ及びＳＷとスキャン機能選択用のＬＥＤ及びＳＷとが離れている操作パネルよりも、ユーザが操作しやすいもの（デザイン的にも優れたもの）となるためである。
【００１５】
以上のことを前提に、以下、本実施形態に係る操作パネル用配線板１０の構成をさらに具体的に説明する。
【００１６】
上記説明から明らかなように、操作パネル基板１５Ａと操作パネル基板１５Ｂとは、通常は、構成（導体パターン）の異なるプリント配線板を用意した上で製造されるものとなっている。このような２種の操作パネル１５Ａ，１５ｂを、同一構成のプリント配線板を利用して製造できるようにするために、本実施形態に係る操作パネル用配線板１０は、図１(Ａ)，(Ｂ)において、点線枠内に示してあるＬＥＤ，ＳＷを取り付けるための部分に関して、図３に示した構成が採用されたものとなっている。
【００１７】
この図３において、その近傍にＳＷｘ（ｘ＝ａ〜ｄ）と示されている各部分（点線の四角が示されている部分）は、ＳＷｘを取り付け可能なように構成された部分（以下、ＳＷ取付部と表記する）である。また、その近傍にＬＥＤｘ（ｘ＝ａ〜ｄ）と示されている各部分（点線の円が示されている部分）は、ＬＥＤｘを取り付け可能なように構成された部分（以下、ＬＥＤ取付部と表記する）である。なお、ＳＷｂ，ＬＥＤｂ，ＳＷｃ，ＬＥＤｃとは、それぞれ、操作パネル２０Ａ（図１(Ａ)）におけるスキャン機能選択用ＳＷ，スキャン機能選択用ＬＥＤ，ＦＡＸ機能選択用ＳＷ，ＦＡＸ機能選択用ＬＥＤに相当するもののことである。
【００１８】
Ｓｉｇ_ＳＷ０，Ｓｉｇ_ＳＷ１，Ｓｉｇ_ＳＷ２，Ｓｉｇ_ＳＷ３は、それぞれ、操作パネル用配線板１０を用いて製造された操作パネル基板１５Ｘから出力されるコピー機能選択用ＳＷの状態（押下されているか否か）を表す信号，ＦＡＸ機能選択用ＳＷの状態を表す信号，スキャン機能選択用ＳＷの状態を表す信号，セットアップ用ＳＷの状態を表す信号である。また、Ｓｉｇ_ＬＥＤ０，Ｓｉｇ_ＬＥＤ１，Ｓｉｇ_ＬＥＤ２，Ｓｉｇ_ＬＥＤ３は、操作パネル用配線板１０を用いて製造された操作パネル基板１５Ｘに対して、それぞれ、コピー機能選択用ＬＥＤの制御信号，スキャン機能選択用ＬＥＤの制御信号，ＦＡＸ機能選択用ＬＥＤの制御信号，セットアップ用ＬＥＤの制御信号として入力される信号である。
【００１９】
ＪＰｎ（ｎ＝１〜６）と示されている各部分（点線の長方形が示されている部分）は、零抵抗素子（いわゆる０Ω抵抗）を取り付けることが可能なように構成された部分である。図から明らかなように、ＪＰ１，ＪＰ２，ＪＰ３は、それぞれ、ＳＷｂ用のＳＷ取付部とＳｉｇ_ＳＷ１用の端子との間，ＳＷｃ用のＳＷ取付部とＳｉｇ_ＳＷ２用の端子との間、ＳＷｂ用のＳＷ取付部とＳｉｇ_ＳＷ２用の端子との間に、設けられている。また、ＪＰ４，ＪＰ５，ＪＰ６は、それぞれ、ＬＥＤｂ用のＬＥＤ取付部とＳｉｇ_ＬＥＤ１用の端子との間，ＬＥＤｃ用のＬＥＤ取付部とＳｉｇ_ＬＥＤ２用の端子との間、ＬＥＤｂ用のＬＥＤ取付部とＳｉｇ_ＬＥＤ２用の端子との間に、設けられている。
【００２０】
本実施形態に係る操作パネル用配線板１０は、このような構成を有するものとなっている。そして、操作パネル２０Ａ（Ａ仕様の複合機）の製造に必要とされる操作パネル基板１５Ａは、ＳＷｂ（操作パネル２０ＡにおけるＦＡＸ機能選択用ＳＷ）とＦＡＸ機能選択用ＳＷの状態を表す信号であるＳｉｇ_ＳＷ１用の端子との間，ＳＷｃ（操作パネル２０Ａにおけるスキャン機能選択用ＳＷ）とスキャン機能選択用ＳＷの状態を表す信号であるＳｉｇ_ＳＷ２用の端子との間，ＬＥＤｂ（操作パネル２０ＡにおけるＦＡＸ機能選択用ＬＥＤ）とＦＡＸ機能選択用ＬＥＤの制御信号であるＳｉｇ_ＬＥＤ１用の端子との間，ＬＥＤｃ（操作パネル２０Ａにおけるスキャン機能選択用ＬＥＤ）とスキャン機能選択用ＬＥＤの制御信号であるＳｉｇ_ＬＥＤ２用の端子との間が，それぞれ、電気的に接続されていることが必要なものとなっている。従って、操作パネル用配線板１０に、図４(Ａ)に示したような形（ＪＰ１，ＪＰ２，ＪＰ４，ＪＰ５のそれぞれに零抵抗素子が実装されており、各ＬＥＤ／ＳＷ取付部にＬＥＤ／ＳＷが実装されている形）で、ＬＥＤ，ＳＷ，零抵抗素子等を実装すれば、操作パネル基板１５Ａを製造できることになる。
【００２１】
また、操作パネル２０Ｂ（Ｂ仕様の複合機）の製造に必要とされる操作パネル基板１５Ｂは、ＳＷｂ（操作パネル２０Ｂにおけるスキャン機能選択用ＳＷ／操作パネル２０ＡにおけるＦＡＸ機能選択用ＳＷ）とスキャン機能選択用ＳＷの状態を表す信号であるＳｉｇ_ＳＷ２用の端子との間、ＬＥＤｂ（操作パネル２０Ｂにおけるスキャン機能選択用ＬＥＤ／操作パネル２０ＡにおけるＦＡＸ機能選択用ＬＥＤ）とスキャン機能選択用ＬＥＤの制御信号であるＳｉｇ_ＬＥＤ２用の端子との間が電気的に接続されていることが必要なものである。従って、操作パネル用配線板１０に、図４(Ｂ)に示したような形（ＪＰ３とＪＰ６とに零抵抗素子が実装されており、操作パネル２０Ｂに不要なＬＥＤｃ／ＳＷｃが実装されていない形）で、ＬＥＤ，ＳＷ，零抵抗素子等を実装すれば、操作パネル基板１５Ｂを製造できることになる。
【００２２】
以上、説明したように、本実施形態に係る操作パネル用配線板１０は、各種素子（ＳＷ，ＬＥＤ、零抵抗素子等）の実装の仕方を変えるだけで、本質的には同じ仕様のコントローラ基板３０Ａ，３０Ｂと組み合わせることが出来る操作パネル基板１５Ａ，１５Ｂであって、ＬＥＤ，ＳＷがユーザによって好ましい位置に配置されている操作パネル２０Ａ，２０Ｂを実現できる操作パネル基板１５Ａ，１５Ｂを、製造できるものとなっている。従って、この操作パネル用配線板１０を用いれば、操作パネル基板１５Ａ，１５Ｂ用のプリント配線板を個別に設計・製造しなくて良い分（操作パネル用配線板１０を大量生産できる分）、ユーザにとって操作しやすい（デザイン的に優れた）操作パネル２０Ａ，２０Ｂを備えたＡ仕様，Ｂ仕様の複合機を、安価に製造できることになる。また、操作パネル用配線板１０を利用して製造される各仕様の複合機は、基本的には同一構成のコントローラ基板３０Ｘを用いて製造できるものであるので、その分、安価に製造できる複合機となっていることにもなる。
【００２３】
＜変形形態＞
上記した実施形態に係る操作パネル用配線板１０は、各種の変形を行うことが出来る。例えば、操作パネル用配線板１０は、零抵抗素子を取り付け可能な部分ＪＰ１〜ＪＰ６を備えたものであったが、ＪＰ１〜ＪＰ６に相当する各部分にジャンパー線を取り付けられるように変形しておいても良い。ただし、そのように操作パネル用配線板１０を変形しておくと、自動挿入機（プリント配線板に自動的に部品を挿入する機械）を利用した製造が困難となるので、上記した操作パネル用配線板１０の構成を採用しておくことが望ましい。
【００２４】
また、操作パネル用配線板１０で用いられている技術に基づき、操作パネル２０ＸとはＬＥＤ、ＳＷのレイアウトが異なる操作パネル用の操作パネル基板や、端子との対応関係を変えることが出来るＬＥＤ、ＳＷの数が操作パネル用配線板１０とは異なる操作パネル用配線板を製造しても良いことなどは、当然のことである。
【図面の簡単な説明】
【００２５】
【図１】実施形態に係る操作パネル用配線板を用いて製造されるＡ，Ｂ仕様の複合機が備える操作パネルの外観図。
【図２】実施形態に係る操作パネル用配線板を用いて製造されるＡ，Ｂ仕様の複合機の内部構成の説明図。
【図３】実施形態に係る操作パネル用配線板の要部構成図。
【図４】実施形態に係る操作パネル用配線板の利用法の説明図。
【符号の説明】
【００２６】
１０  操作パネル用配線板、１５Ａ，１５Ｂ  操作パネル基板、
２０Ａ，２０Ｂ  操作パネル
【図１】
2006080728.tif 000003
【図２】
2006080728.tif 000004
【図３】
2006080728.tif 000005
【図４】
2006080728.tif 000006